(57)【要約】本発明は、少なくとも一つのプレート型導電体(１)を、導体の対応する孔(４)に係合しかつ支持片(２)に導体を固定するための締付けナット(５)と協働するよう構成されたスタッド(３)を備えた支持片(２)に対して電気的に接続すると共に固定するためのシステムに関する。本発明は、導電環状スペーサ(６)が支持片(２)に面する導体の面上で導体(１)に対して接合されることを特徴とする。本発明はさらに上記ナット(５)が導体(１)の反対側の面上に配置されることを特徴とする。その上、上記ナット(５)が、支持片に対する導体の位置決めおよび導体の固定を容易にするために、スペーサに対するナットの回転、および導体から離れた組付けポジションとナットが上記導体に当接して載る固定ポジション(図３)との間での、スペーサに対するナットの確定された移動長さに沿った軸方向移動を可能にする固定手段(５ａ)を用いてスペーサ(６)に接合される。
2006520524.tif 000002
【特許請求の範囲】
【請求項１】
プレート型の少なくとも一つの導電体(１)を、導体(１)の対応する孔(４)に係合しかつ支持片(２)の上に導体(１)をネジ留めするためのナット(５)と協働するよう構成されたネジピン(３)を備えた支持片(２)の上に電気的に接続すると共に固定するためのシステムであって、
導電素材からなる環状スペーサ(６)が支持片(２)に面する前記導体の面上で導体(１)に対して接合され、かつナット(５)は、前記導体の前記支持片に対する位置決めおよびネジ留めを容易にするために、導体(１)の反対側の面上に配置されると共に、前記ナット(５)は、前記スペーサに対する前記ナットの回転および前記導体から離れた組立てポジション(図１、図２)と前記ナットが前記導体に当接して支持されるネジ留めのためのポジション(図３)との間での、前記スペーサ(６)に対するナット(５)の確定コースの軸方向移動を可能にする接合手段(５ａ)によってスペーサ(６)に対して接合されることを特徴とするシステム。
【請求項２】
前記ネジピン上での心出しを容易にするために、前記導体の孔(４)は概して長円形であることを特徴とする請求項１に記載のシステム。
【請求項３】
ナット(５)をスペーサ(６)の上に接合するための前記手段は、導体孔(４)内へと突出するよう構成された筒状スリーブ(５ａ)の形態のナットを具備すると共に、その自由端部はスペーサ(６)の相補的掛止手段(６ａ)と協働するよう構成された掛止手段(５ｂ)を備えることを特徴とする請求項１または請求項２に記載のシステム。
【請求項４】
スリーブ(５ａ)の端部の前記掛止手段は少なくとも一つの突出部(５ｂ)を具備してなると共に、前記スペーサの前記相補的掛止手段は少なくとも一つの対応するリム(６ａ)を具備してなることを特徴とする請求項３に記載のシステム。
【請求項５】
ナット(５)をスペーサ(６)の上に接合するための前記手段は、前記導体の対応する孔(４)に係合すると共に前記スペーサ(６)の相補的掛止手段(６ａ)と協働するよう構成された、フック型タブを具備してなることを特徴とする請求項１または請求項２に記載のシステム。
【請求項６】
スペーサ(６)は導体(１)に面するその面に前記導体用の受け溝(６ｂ)の形態の手段を有し、ネジピン上でのその位置決めを容易にするため、この手段は、前記導体に対する前記スペーサおよび前記ナットの確定コースの横移動を可能にすることを特徴とする請求項１ないし請求項５のいずれか１項に記載のシステム。
【請求項７】
支持片(２)は、ネジピン(３)のレベルに補強片(２ｂ)を有することを特徴とする請求項１ないし請求項６のいずれか１項に記載のシステム。
【請求項８】
支持片(２)は他の導体によって形成されることを特徴とする請求項１ないし請求項７のいずれか１項に記載のシステム。
【請求項９】
支持片(２)は電気部品によって形成されることを特徴とする請求項１ないし請求項７のいずれか１項に記載のシステム。
【請求項１０】
支持片(２)は電気接続プレートによって形成されることを特徴とする請求項１ないし請求項７のいずれか１項に記載のシステム。
【発明の詳細な説明】
【技術分野】
【０００１】
本発明は、少なくとも一つのプレート型導電体を支持片上に電気的に接続しかつ固定するためのシステムに関する。
【０００２】
さらに詳しく言うと、本発明は、支持片が、導体の対応する孔に係合すると共に導体を支持片上にネジ留めするためのナットと協働するよう構成されたネジピンを具備するようなシステムに関する。
【背景技術】
【０００３】
そうした接続システムは、現在、導電体の接続を確実なものとするため、たとえばプレートまたはバスバーシステムにおいて使用されている。
【０００４】
そうしたシステムの一例は特許文献１に開示されている。
【０００５】
概して、この接続システムは、特に、アクセス困難な場所での導体の支持片に対する位置決めおよびネジ留めの際に、かなり多くの欠点を呈することもよく知られている。
【０００６】
実際、この接続システムは概して電源キャビネットまたはバスケットの底に位置させられ、組立作業員にとってはアクセスが困難である。
【０００７】
それゆえ、組立作業員がこのシステムを構成する部品の一つ以上を放し、この部品を回収するのが困難になるかあるいは不可能になることさえ起こり得る。
【０００８】
それゆえ、これは、特にキャビネットまたはバスケットの残部の電気的完全性に関して問題であり、危険でさえある、ということがわかる。
【特許文献１】FR-A-2,784,241
【発明の開示】
【発明が解決しようとする課題】
【０００９】
本発明の目的はそれゆえ上記問題を解決することである。
【課題を解決するための手段】
【００１０】
この目的のため、本発明の対象は、少なくとも一つのプレート型導電体を、導体の対応する孔に係合しかつ支持片上に導体をネジ留めするためのナットと協働するよう構成されたネジピンを備えた支持片の上に電気的に接続すると共に固定するためのシステムであって、導電素材からなる環状スペーサが支持片に面する上記導体の面上で導体に対して接合され、かつ、導体の支持片に対する位置決めおよびネジ留めを容易にするために、ナットが導体の反対側の面上に配置されると共に、ナットが、スペーサに対するナットの回転、および導体から離れた組立てポジションとナットが導体に当接して支持されるネジ留めポジションとの間での、上記スペーサに対するナットの確定コースの軸方向移動を可能にする接合手段によって、スペーサに対して接合されるシステムである。
【００１１】
他の特徴によれば、
・ネジピンの上での心出しを容易にするために導体の孔は概して長円形を有し、
・ナットをスペーサ上に接合するための手段は、導体孔内へと突出するよう構成された筒状スリーブ形態のナットを具備すると共に、その自由端部は、スペーサの相補的掛止手段と協働するよう構成された掛止手段を備え、
・スリーブの端部の掛止手段は少なくとも一つの突出部を具備してなると共に、スペーサの相補的掛止手段は少なくとも一つの対応するリムを具備してなり、
・ナットをスペーサの上に接合するための手段は、導体の対応する孔に係合すると共に上記スペーサの相補的掛止手段と協働するよう構成されたフック形態のタブを具備してなり、
・スペーサは導体に面するその面上に導体用の受け溝の形態の手段を有し、ネジピン上でのその位置決めを容易にするため、この手段は、導体に対するスペーサおよびナットの確定コースの横移動を可能にし、
・支持片は、ネジピンのレベルに補強片を有し、
・支持片は他の導体によって形成され、
・支持片は電気部品によって形成され、そして
・支持片は電気接続プレートによって形成される。
【００１２】
本発明は、単に実例として挙げた、そして添付図面を参照してなされた、以下の説明からより良く理解されるであろう。
【発明を実施するための最良の形態】
【００１３】
実際、少なくとも一つのプレート型導電体(参照数字１によって指し示す)を、支持片(参照数字２によって指し示す)の上に電気的に接続すると共に固定するためのシステムが図１ないし図５に示されている。
【００１４】
この支持片２は、参照数字３によって指し示すネジピンを有し、このネジピンは、導体１の対応する孔４に係合すると共に導体を支持片２の上にネジ留めするためのナット５と協働するよう構成されている。
【００１５】
実際、支持片の実施形態の他の変形例を考えることもできる。
【００１６】
したがって、この支持片２は、他の導体、電気部品、電気接続用のプレートまたはバー、その他から形成できる。
【００１７】
図示する実施例において、支持片２は他の導体(図では参照数字２ａによって指し示す)から形成され、この支持片２は、ネジピン３のレベルに補強片(参照数字２ｂで指し示す)を備える。
【００１８】
もちろん、他の実施形態を考えることもできる。
【００１９】
したがって、上記構造によって、ネジピン３は支持片２の上に堅固に固定されることがわかる。
【００２０】
本発明による接続システムは導電素材からなる環状スペーサを具備してなるが、これは図では参照数字６によって指し示される。
【００２１】
導電素材からなるこの環状スペーサ６は導体１に対して、支持片２に面する上記導体の面上で接合されている。
【００２２】
ナット５は、導体１の反対側の面に配置されると共に、スペーサ６に対して、このスペーサに対する上記ナットの回転、および上記スペーサに対する上記ナットの、上記導体から離れた組立てポジション(図１および図２に示す)とナットが導体に当接して支持されるネジ留めのためのポジション(図３に示す)との間での、確定コースの軸方向移動を可能にする接合手段によって接合される。
【００２３】
これによって、以下でさらに詳しく説明するように、上記支持片に対する上記導体の位置決めおよびネジ留めを容易にすることが可能となる。ナットをスペーサ上に接合にするための上記手段は、もちろん他の形態を有することもできる。
【００２４】
ゆえに、たとえば、ナットをスペーサ上に接合するための上記手段は、ナットの筒状スリーブ５ａの形態を有することができ、その自由端は、たとえばスペーサのリム６ａによって形成されたスペーサの相補的掛止手段と協働するよう構成された掛止手段(たとえば５ｂ)を備える。
【００２５】
したがって、スリーブの端部用の掛止手段は少なくとも一つの突出部を具備することができ、この突出部はスペーサの対応するリムと協働可能に構成される。
【００２６】
もちろん他の実施形態を考えることもでき、しかもナットをスペーサ上に接合するための上記手段はたとえばフック形態のタブを具備することができ、このタブは、導体の対応する孔に係合しかつたとえばリムによって形成された上記スペーサの相補的掛止手段と協働するよう構成される。
【００２７】
上記スペーサはまた、導体に面するその面上に、たとえば参照数字６ｂによって指し示される導体用の受け溝の形態の手段を具備する。
【００２８】
導体の孔４は、ネジピンの上でのその心出しを容易にするため概して長円形を有する。
【００２９】
実際、スペーサの溝手段６ｂおよび導体の概して長円形のこの孔４は、支持片のネジピン３上でのその心出しを容易にするため、スペーサ６の、したがってスペーサ上に接合あるいは掛止されたナット５の、導体１に対する確定コースの横方向移動を可能にする。
【００３０】
このサブアセンブリは導体に対して、わずかに動くことができる。これは、支持片のネジピンとシステムの残部との間の、起こり得るアライメント不良の補償を可能とする。
【００３１】
その上、導体１から離れた組立てポジションと、ナットがこの導体に当接して支持されるネジ留めのためのポジションとの間での、スペーサ６に対するナット５の確定コースの軸方向移動は、図６に示すように、この型のいろいろな接続システムを備えた導体を、支持片上に組付けるのを極めて容易にする。
【００３２】
実際、導体１が上記のような、それを支持片２のいくつかのスタッド３の上に接合することを可能にする、さまざまな接続システムを有する場合、スペーサに対するナットのこの確定コースの軸方向移動は、ナット５の存在によって邪魔されることなく、支持片に当接するようまず導体１を配置することを可能とする。なぜなら、ナットは、スタッドによって支持されて、導体から離れたその組立てポジションに配置されるからであり、続いてナットの確定コースの軸方向移動は、後のナットを次々に締め込むことを可能にする。
【００３３】
図６において、右側のシステムは組立てポジションで示されており、ナット５はネジピン３によって組立てポジションで支持されている。一方、左側のシステムは、導体およびスペーサを支持片２に対してネジ留めするためのポジションで示されている。
【００３４】
ゆえに、組立作業員は、導体の移動あるいは変形のリスクを伴わず、互いに別個にナットを締め込むことができる。
【００３５】
もちろん、他の実施形態を考えることもできる。
【図面の簡単な説明】
【００３６】
【図１】組立てポジションでの本発明による電気接続システムの斜視図である。
【図２】本システムの断面図である。
【図３】ネジ留めポジションでの本システムの斜視図である。
【図４】本システムの構成に含まれる環状スペーサの斜視図である。
【図５】本システムの構成に含まれるナットの斜視図である。
【図６】本接続システムの応用の一例の断面図である。
【符号の説明】
【００３７】
１  導電体
２  支持片
２ｂ  補強片
３  ネジピン
４  孔
５  ナット
５ａ  筒状スリーブ
５ｂ  掛止手段
６  環状スペーサ
６ａ  リム
６ｂ  受け溝
【図１】
2006520524.tif 000003
【図２】
2006520524.tif 000004
【図３】
2006520524.tif 000005
【図４】
2006520524.tif 000006
【図５】
2006520524.tif 000007
【図６】
2006520524.tif 000008
【国際調査報告】
2006520524.tif 000009
2006520524.tif 000010
2006520524.tif 000011
2006520524.tif 000012